(57)【要約】【課題】１つの映像を構成する複数の映像信号を記録媒体に記録する複数の映像記録装置からなる映像記録システムにおいて、記録のタイミングを合わせる同期回路が必要となり、回路が複雑化するという課題があった。【解決手段】第１の映像記録装置１２０は、入力された映像信号中のタイムコードと記録時に付与すべきタイムコードとの差分を算出し、入力された映像信号中のタイムコードを記録時に付与すべきタイムコードで書き換え、算出した差分を第２の映像記録装置１２１、１２２に送信する送信部と、を備え、第２の映像記録装置１２１、１２２は、第１の映像記録装置１２０が送信する差分を受信し、受信した差分と入力された映像信号中のタイムコードとを基に、記録時に付与すべきタイムコードを算出する。【選択図】図１
2011124674.tif 000002
【特許請求の範囲】
【請求項１】
１つの映像を構成する複数の映像信号を記録媒体に記録する第１の映像記録装置と第２の映像記録装置とからなる映像記録システムであって、
少なくとも１つの前記第１の映像記録装置は、
入力された映像信号中のタイムコードと、記録時に付与すべきタイムコードとの差分を算出する差分算出部と、
入力された映像信号中のタイムコードを、前記記録時に付与すべきタイムコードで書き換えるタイムコード書き換え部と、
前記タイムコード書き換え部でタイムコードを書き換えた映像信号を、記録媒体に記録する記録媒体制御部と、
算出した前記差分を前記第２の映像記録装置に送信する送信部と、
を備え、
少なくとも１つの前記第２の映像記録装置は、
前記第１の映像記録装置が送信する前記差分を受信する受信部と、
受信した前記差分と入力された映像信号中のタイムコードとを基に、記録時に付与すべきタイムコードを算出するタイムコード算出部と、
入力された映像信号中のタイムコードを、前記記録時に付与すべきタイムコードで書き換えるタイムコード書き換え部と、
前記タイムコード書き換え部でタイムコードを書き換えた映像信号を、記録媒体に記録する記録媒体制御部と、
を備える映像記録システム。
【請求項２】
入力された映像信号を複数の映像信号に分割する映像分割装置と、前記映像分割装置が出力する複数の分割映像信号を記録媒体に記録する第１の映像記録装置と第２の映像記録装置とからなる映像記録システムであって、
少なくとも１つの前記第１の映像記録装置は、
前記分割映像信号中のタイムコードと、記録時に付与すべきタイムコードとの差分を算出する差分算出部と、
前記分割映像信号中のタイムコードを、前記記録時に付与すべきタイムコードで書き換えるタイムコード書き換え部と、
前記タイムコード書き換え部でタイムコードを書き換えた映像信号を、記録媒体に記録する記録媒体制御部と、
算出した前記差分を前記第２の映像記録装置に送信する送信部と、
を備え、
少なくとも１つの前記第２の映像記録装置は、
前記第１の映像記録装置が送信する前記差分を受信する受信部と、
受信した前記差分と前記分割映像信号中のタイムコードとを基に、記録時に付与すべきタイムコードを算出するタイムコード算出部と、
前記分割映像信号中のタイムコードを、前記記録時に付与すべきタイムコードで書き換えるタイムコード書き換え部と、
前記タイムコード書き換え部でタイムコードを書き換えた映像信号を、記録媒体に記録する記録媒体制御部と、
を備える映像記録システム。
【請求項３】
前記第１の映像記録装置は、
入力された映像信号を表示装置に出力する映像出力部と、
記録時に付与すべきタイムコードを受け付ける操作部と、
をさらに備える請求項１又は２に記載の映像記録システム。
【発明の詳細な説明】
【技術分野】
【０００１】
本発明は、１つの映像を構成する複数の映像信号を、複数の映像記録装置に記録する映像記録システムに関するものであり、特に、複数の映像記録装置間でタイムコードの同期をとる映像記録システムに関するものである。
【背景技術】
【０００２】
１つの映像を構成する、複数に空間分割された映像を入力映像信号とし、複数の映像記録装置で各映像信号を記録媒体に記録する映像記録システムにおいて、入力された映像信号に自己生成したタイムコード（Ｉｎｔｅｒｎａｌ  ＴＣ）を付加しながら記録するとき、各記録映像はフレーム単位で元の１つの映像を構成できるようにＴＣを全ての映像記録装置で同期させる必要がある。
【０００３】
そのために、従来では各映像記録装置側で付加するＩｎｔｅｒｎａｌ  ＴＣを同期させて同時記録し、なおかつ入力側でも各映像信号の経路の違いによる入力遅延のばらつきを吸収するための手段が必要であった。
【０００４】
特許文献１に開示の映像編集装置において、映像入力／出力部には、１つの映像が空間的に分割された複数の映像データが入力される。同期制御部は、タイミング信号およびタイムコードを生成し、映像入力／出力部へ出力する。映像入力／出力部は、映像データに付与されたタイムコードと、同期制御部によって生成されたタイムコードとが同一であった場合に、タイミング信号に基づいたタイミングで映像データをデータ制御部へ出力する。データ制御部は、映像データを映像保存部に格納する。
【０００５】
特許文献１に開示の映像編集装置によれば、複数の映像信号を、同期信号に基づいたタイミングで映像編集装置内に取り込むようにしたので、高精細映像を高速に取り込むことができる。
【先行技術文献】
【特許文献】
【０００６】
【特許文献１】特開２００６−１９８０４号公報
【発明の概要】
【発明が解決しようとする課題】
【０００７】
しかしながら、上記従来の構成では、生成された映像データに付与すべきタイムコードに合わせたタイミングで、映像データを記録する必要があるため、記録のタイミングを合わせる同期回路が必要となり、回路が複雑化するという課題があった。
【課題を解決するための手段】
【０００８】
上記課題を解決するために、映像記録システムは、１つの映像を構成する複数の映像信号を記録媒体に記録する第１の映像記録装置と第２の映像記録装置とからなる映像記録システムであって、少なくとも１つの前記第１の映像記録装置は、入力された映像信号中のタイムコードと、記録時に付与すべきタイムコードとの差分を算出する差分算出部と、入力された映像信号中のタイムコードを、前記記録時に付与すべきタイムコードで書き換えるタイムコード書き換え部と、前記タイムコード書き換え部でタイムコードを書き換えた映像信号を、記録媒体に記録する記録媒体制御部と、算出した前記差分を前記第２の映像記録装置に送信する送信部と、を備え、少なくとも１つの前記第２の映像記録装置は、前記第１の映像記録装置が送信する前記差分を受信する受信部と、受信した前記差分と入力された映像信号中のタイムコードとを基に、記録時に付与すべきタイムコードを算出するタイムコード算出部と、入力された映像信号中のタイムコードを、前記記録時に付与すべきタイムコードで書き換えるタイムコード書き換え部と、前記タイムコード書き換え部でタイムコードを書き換えた映像信号を、記録媒体に記録する記録媒体制御部と、を備える。
【発明の効果】
【０００９】
上記の構成によって、映像記録システムは、入力遅延のばらつきを吸収するための回路を不要とすることができるため、システムの単純化を図ることができる。
【図面の簡単な説明】
【００１０】
【図１】実施の形態１における映像記録システムの構成を示すブロック図
【図２】実施の形態１における映像分割装置の構成を示すブロック図
【図３】実施の形態１における一つの映像記録装置の構成を示すブロック図
【図４】実施の形態１における他の映像記録装置の構成を示すブロック図
【図５】実施の形態１における映像分割装置の動作を示すフローチャート
【図６】実施の形態１における一つの映像記録装置の動作を示すフローチャート
【図７】実施の形態１における他の映像記録装置の動作を示すフローチャート
【発明を実施するための形態】
【００１１】
（実施の形態１）
（１．映像記録システムの構成）
（１−１．映像記録システム全体の構成）
図１は、実施の形態１における映像記録システムの構成を示すブロック図である。映像記録システムは、映像分割装置１００と、ＯＳＤ重畳装置１１０と、映像記録装置１２０〜１２２と、モニター装置１４０〜１４２と、記録媒体１３０〜１３２とを含む。
【００１２】
なお、実施の形態１では、映像分割装置１００を含む構成について説明するが、映像分割装置１００は必須の構成ではなく、１つの映像を構成する複数の映像データが入力される形態であればよく、例えば複数のカメラを用いて撮影された複数の映像データを、複数の映像記録装置に記録する形態であってもよい。
【００１３】
映像分割装置１００は、タイムコードを含む映像データを受信し、複数の映像データに分割して出力するものである。
【００１４】
ＯＳＤ重畳装置１１０は、映像データにＯＳＤ（Ｏｎ  Ｓｃｒｅｅｎ  Ｄｉｓｐｌａｙ）を重畳して出力するものである。そのために、ＯＳＤ重畳装置１１０に入力された映像信号は、出力時に遅延が発生する。一つの映像を分割して、複数の記録媒体に記録する映像記録システムにおいて、記録途中でＯＳＤ重畳装置１１０のような装置が配置されている場合、その装置で遅延が発生する。したがって、複数の分割映像データ中の一つの経路を通る映像データで遅延が発生し、分割映像データ間では同期が取れなくなる。ＯＳＤ重畳装置１１０は、映像記録システムにおいて遅延が発生する装置の例として挙げており、ＯＳＤ重畳装置１１０に限らず、遅延が発生する装置であれば、どのような装置であってもよい。
【００１５】
映像記録装置１２０〜１２２は、映像分割装置１００で分割された各々の映像データを、記録媒体１３０〜１３２に記録する記録装置である。記録媒体１３０〜１３２は、タイムコードを含む映像データを記録して保存する。記録媒体１３０〜１３２は、磁気記録テープや、半導体メモリカードや、ハードディスクや、光ディスク等であり、データを記録できる媒体であればどのようなものであってもよい。
【００１６】
モニター装置１４０〜１４２は、映像記録装置１２０〜１２２に入力される映像を表示する装置である。
【００１７】
（１−２．映像分割装置１００の構成）
図２は映像分割装置１００の構成を示すブロック図である。映像分割装置１００は、映像入力部２０１と、タイムコード抽出部２０２と、映像分割部２０３と、タイムコード重畳部２０４と、出力部２０５〜２０７とを含む。
【００１８】
映像入力部２０１は、外部からタイムコードを含む映像データを受信する。タイムコード抽出部２０２は、入力映像データからタイムコードを抽出する。映像分割部２０３は、入力映像データを複数の映像データに分割して出力する。映像分割部２０３で分割する映像の例として、スーパーハイビジョン映像を空間分割するものや、映像の色成分別に分割するものや、３Ｄ映像のＬＲ別に分割するもの等がある。
【００１９】
タイムコード重畳部２０４は、映像分割部２０３で分割された映像データにタイムコード抽出部２０２で抽出されたタイムコードを重畳する。出力部２０５〜２０７は、タイムコード重畳部２０４でタイムコードを重畳した映像データを出力する。
【００２０】
（１−３．映像記録装置１２０の構成）
図３は映像記録装置１２０の構成を示すブロック図である。映像記録装置１２０は、映像入力部３０１と、タイムコード抽出部３０２と、映像出力部３０３と、タイムコード書き換え部３０４と、通信部３０５と、記録媒体制御部３０６と、操作部３０７と、タイムコード指定部３０８と、タイムコード差分算出部３０９と、タイムコード生成部３１０とを含む。
【００２１】
映像入力部３０１は、タイムコードを含む映像データを受信する。タイムコード抽出部３０２は、入力映像データからタイムコードを抽出する。映像出力部３０３は、映像入力部３０１で受信した映像データを外部のモニター装置１４０に出力する。タイムコード書き換え部３０４は、入力映像データに重畳されているタイムコードをタイムコード生成部３１０で生成された記録タイムコードに書き換える。通信部３０５は、タイムコード差分算出部３０９で算出されたタイムコード差分値を、映像記録装置１２１、１２２に送信する。
【００２２】
記録媒体制御部３０６は、タイムコード書き換え部３０４でタイムコードを書き換えた映像データを記録媒体１３０に記録する。
【００２３】
操作部３０７は、ユーザからの記録開始操作を受け付け、タイムコード指定部３０８に記録開始タイムコード値を送る。操作部３０７は、映像記録装置１２１上の操作ボタンや、外部のコントローラから通信を介して操作コマンドを受信する受信部であってもよい。つまり操作部３０７は、ユーザによる操作を受け付けるものであれば、どのようなものであってもよい。
【００２４】
タイムコード指定部３０８は、操作部３０７から受けた記録開始タイムコード値をタイムコード差分算出部３０９とタイムコード生成部３１０に送る。
【００２５】
タイムコード差分算出部３０９は、タイムコード指定部３０８から記録開始タイムコード値を受けたときに、タイムコード抽出部３０２から受けた抽出タイムコード値で記録開始タイムコード値を減算したタイムコード差分値を算出する。タイムコード差分値は通信部３０５に送られる。
【００２６】
タイムコード生成部３１０は、タイムコード指定部３０８から受けた記録開始タイムコード値を元に１フレーム毎に歩進させた記録タイムコード値をタイムコード書き換え部３０４に送る。
【００２７】
（１−４．映像記録装置１２１、１２２の構成）
図４は映像記録装置１２１、１２２の構成を示すブロック図である。映像記録装置１２１、１２２は、映像入力部４０１と、タイムコード抽出部４０２と、タイムコード算出部４０３と、タイムコード書き換え部４０４と、通信部４０５と、記録媒体制御部４０６と、タイムコード差分取得部４０７とを含む。
【００２８】
映像入力部４０１は、タイムコードを含む映像データを受信する。タイムコード抽出部４０２は、入力映像データからタイムコードを抽出する。タイムコード算出部４０３は、タイムコード抽出部４０２から受けた抽出タイムコード値とタイムコード差分取得部４０７から受けたタイムコード差分値を使って記録タイムコード値を算出する。記録タイムコード値はタイムコード書き換え部４０４に送られる。
【００２９】
タイムコード書き換え部４０４は、入力映像に重畳されているタイムコードをタイムコード算出部４０３で算出された記録タイムコード値に書き換える。
【００３０】
通信部４０５は、ネットワーク１５０を介して映像記録装置１２０と通信する。
【００３１】
記録媒体制御部４０６は、タイムコード書き換え部４０４でタイムコードを書き換えた映像データを記録媒体１３１、１３２に記録する。
【００３２】
タイムコード差分取得部４０７は、通信部４０５を介して映像記録装置１２０から送信されたタイムコード差分値を取得する。
【００３３】
（２．映像記録システムの動作）
（２−１．映像記録システム全体の動作）
映像分割装置１００は、タイムコードを含む映像データを受信し、複数の映像データに分割する。分割した各々の映像データは、映像記録装置１２０〜１２２に入力される。各々の入力経路の途中で、例としてＯＳＤ重畳装置１１０のような映像データにＯＳＤを重畳して出力する装置、あるいは他の映像効果を与える装置等が接続され、遅延が発生しているものとする。映像記録装置１２０〜１２２は入力された映像に置換したタイムコードを付与して記録媒体１３０〜１３２に記録して保存する。
【００３４】
（２−２．映像分割装置１００の動作）
映像分割装置１００についてその動作を説明する。図５は映像分割装置１００の動作を示すフローチャートである。
【００３５】
元素材となる外部からの映像データは、映像入力部２０１に入力される（Ｓ５０１）。入力された映像データは映像分割部２０３で分割される（Ｓ５０２）。入力映像データを分割する機能の例として、入力映像データがスーパーハイビジョン映像の場合、入力映像データは空間分割される。他の分割の例として、例えば入力映像データを色成分別に分割するものや、入力された３Ｄ映像をＬＲ別に分割するものが考えられるが、元の素材をある成分別に分割し複数の映像を出力するものであればどのようなものであってもよい。
【００３６】
タイムコード抽出部２０２は、元素材の映像データから抽出したタイムコードをタイムコード重畳部２０４へ送る。タイムコード重畳部２０４は、分割された映像データの元素材に重畳されていたタイムコードを、分割した映像データに重畳し直す（Ｓ５０３）。タイムコードを重畳された分割映像データは、出力部２０５〜２０７より出力される（Ｓ５０４）。
【００３７】
（２−３．映像記録装置１２０の動作）
映像記録装置１２０についてその動作を説明する。図６は映像記録装置１２０の動作を示すフローチャートである。
【００３８】
映像分割装置１００で分割された映像データは、映像入力部３０１に入力される（Ｓ６０１）。入力された映像データは、モニター装置１４０で表示される（Ｓ６０２）。ユーザはモニターで映像データを確認しながら、操作部３０７を使って映像データの記録開始操作を行う。そのとき、書き換える記録開始タイムコード値がタイムコード指定部３０８に送られる（Ｓ６０３）。
【００３９】
次に、タイムコード抽出部３０２が、記録開始する映像データの先頭フレームから元素材のタイムコード値を抽出する（Ｓ６０４）。タイムコード差分算出部３０９は、タイムコード指定部３０８から送られた記録開始タイムコード値に、タイムコード抽出部３０２から送られた抽出タイムコード値を減算してタイムコード差分値を算出する（Ｓ６０５）。算出されたタイムコード差分値は、通信部３０５を介して記録装置１２１、１２２へ送信される（Ｓ６０６）。
【００４０】
次に、タイムコード生成部３１０は、タイムコード指定部３０８から送られた記録開始タイムコード値を元に、１フレーム毎に歩進された記録タイムコード値を生成する。タイムコード書き換え部３０４は入力された映像データに重畳されているタイムコード値を記録タイムコード値に書き換える（Ｓ６０７）。
【００４１】
記録媒体制御部３０６はタイムコード値を書き換えた映像データを映像記録媒体１３０へ記録する（Ｓ６０８）。
【００４２】
（２−４．映像記録装置１２１、１２２の動作）
映像記録装置１２１、１２２についてその動作を説明する。図７は映像記録装置１２１、１２２の動作を示すフローチャートである。
【００４３】
映像分割装置１００で分割された映像データは、映像入力部４０１に入力される（Ｓ７０１）。タイムコード抽出部４０２は、入力された映像データに重畳されているタイムコード値を抽出する（Ｓ７０２）。
【００４４】
次に、タイムコード差分取得部４０７は、通信部４０５を介してネットワーク１５０経由で、映像記録装置１２０から送られたタイムコード差分値を受信する（Ｓ７０３）。
【００４５】
次に、タイムコード算出部４０３は、タイムコード抽出部４０２から送られた抽出タイムコード値とタイムコード差分取得部４０７から送られたタイムコード差分値とで記録タイムコード値を算出する（Ｓ７０４）。タイムコード書き換え部４０４は、入力された映像データに重畳されているタイムコード値を記録タイムコード値に書き換える（Ｓ７０５）。
【００４６】
記録媒体制御部４０６はタイムコード値を書き換えた映像データを映像記録媒体１３１，１３２へ記録する（Ｓ７０６）。
【００４７】
（３．まとめ）
以上のように、１つの映像を構成する複数の映像信号を記録媒体に記録する映像記録装置１２０と映像記録装置１２１、１２２とからなる映像記録システムであって、少なくとも１つの映像記録装置１２０は、入力された映像信号中のタイムコードと、記録時に付与すべきタイムコードとの差分を算出する差分算出部３０９と、入力された映像信号中のタイムコードを、記録時に付与すべきタイムコードで書き換えるタイムコード書き換え部３０４と、タイムコード書き換え部３０４でタイムコードを書き換えた映像信号を、記録媒体に記録する記録媒体制御部３０６と、算出した差分を映像記録装置１２１、１２２に送信する通信部３０５と、を備え、少なくとも１つの映像記録装置１２１、１２２は、映像記録装置１２０が送信する差分を受信する通信部４０５と、受信した差分と入力された映像信号中のタイムコードとを基に、記録時に付与すべきタイムコードを算出するタイムコード算出部４０３と、入力された映像信号中のタイムコードを、記録時に付与すべきタイムコードで書き換えるタイムコード書き換え部４０４と、タイムコード書き換え部４０４でタイムコードを書き換えた映像信号を、記録媒体に記録する記録媒体制御部４０６と、を備えることによって、複数の分割映像データが通る経路中に、例えば、ＯＳＤ重畳装置１１０のような遅延が発生する装置が存在する場合であっても、映像記録装置１２０が送信したタイムコードの差分を用いて、映像記録装置１２１、１２２のタイムコードを算出し書き換えることによって、複数の映像記録装置１２０、１２１、１２２間で、入力遅延のばらつきを吸収するための回路を設けることなく、タイムコードの同期のとれた分割映像データを記録することができ、システムの単純化を図ることができる。
【００４８】
また、映像記録装置１２０は、入力された映像信号をモニター装置１４０に出力する映像出力部３０３と、記録時に付与すべきタイムコードを受け付ける操作部３０７と、をさらに備えることによって、分割映像データに付与すべきタイムコードを、ユーザの操作によって、任意に設定することができ、ユーザの使い勝手を向上できる。
【産業上の利用可能性】
【００４９】
本実施の形態における映像記録システムは、入力遅延のばらつきを吸収するための回路等を設けることなく、複数の映像記録装置間でタイムコードの同期をとることができ、システムの単純化を図ることができるため、映像記録システム、映像編集システム等に適用することができ、有用である。
【符号の説明】
【００５０】
１００  映像分割装置
１１０  ＯＳＤ重畳装置
１２０、１２１、１２２  映像記録装置
１３０、１３１、１３２  記録媒体
１４０、１４１、１４２  モニター装置
２０１、３０１、４０１  映像入力部
２０２、３０２、４０２  タイムコード抽出部
２０３  映像分割部
２０４  タイムコード重畳部
２０５、２０６、２０７  出力部
３０３  映像出力部
３０４、４０４  タイムコード書き換え部
３０５、４０５  通信部
３０６、４０６  記録媒体制御部
３０７  操作部
３０８  タイムコード指定部
３０９  タイムコード差分算出部
３１０  タイムコード生成部
４０３  タイムコード算出部
４０７  タイムコード差分取得部
【図１】
2011124674.tif 000003
【図２】
2011124674.tif 000004
【図３】
2011124674.tif 000005
【図４】
2011124674.tif 000006
【図５】
2011124674.tif 000007
【図６】
2011124674.tif 000008
【図７】
2011124674.tif 000009